(57)【要約】【課題】架空線及び／又は架空線支持手段から害獣を確実に滑落させることが可能な害獣滑落具を提供する。【解決手段】架空線１０３から猿１０１等の害獣を滑落させる害獣滑落具１であって、架空線１０３、メッセンジャーワイヤー１０４、スパイラルハンガー１０５を囲むようにスパイラルハンガー１０５に装着可能な構造体からなり、構造体は、構造体の装着時に架空線１０３、メッセンジャーワイヤー１０４、スパイラルハンガー１０５を囲むように周設された複数のボールを備え、猿１０１等の害獣の接触によってボールが回転することで猿１０１等の害獣を滑落させるように構成されている。【選択図】図１
2018126022.tif 000002
【特許請求の範囲】
【請求項１】
架空線から害獣を滑落させる害獣滑落具であって、
架空線及び／又は架空線支持手段を囲むように架空線及び／又は架空線支持手段に装着可能な構造体からなり、
前記構造体は、前記構造体の装着時に架空線及び／又は架空線支持手段を囲むように周設された複数の回転体を備え、
害獣の接触によって前記回転体が回転することで害獣を滑落させるように構成されていることを特徴とする害獣滑落具。
【請求項２】
前記構造体は、さらに内筒と前記回転体を介して前記内筒に対して回転可能に取付けられた外筒とを備え、
前記回転体は、前記内筒と前記外筒との間に周設されたボール又はローラーであることを特徴とする請求項１に記載の害獣滑落具。
【請求項３】
前記構造体は、さらに筒体を備え、
前記筒体は、前記回転体を回転自在に埋設可能に外周面に一定間隔で周設された凹部を備え、
前記回転体は、ローラーであり、前記凹部に回転自在に埋設されていることを特徴とする請求項１に記載の害獣滑落具。
【請求項４】
前記構造体は、さらに複数のリングを備え、
前記リングは、自身の中心軸線方向に整列し、
前記回転体は、ローラーであり、前記リングを互いに連結するように前記リングの間に前記リングの中心軸線周りに周設されていることを特徴とする請求項１に記載の害獣滑落具。
【請求項５】
前記構造体は、架空線支持手段の１つであるスパイラルハンガーに装着可能に、最小内径が前記スパイラルハンガーの螺旋の外径以上の大きさであることを特徴とする請求項１から４のいずれか１項に記載の害獣滑落具。
【発明の詳細な説明】
【技術分野】
【０００１】
本発明は、架空線から害獣を滑落させる害獣滑落具に関する。
【０００２】
なお本発明において架空線支持手段とは、メッセンジャーワイヤー、スパイラルハンガー等の架空線を支持する支持線、つり線、支線等を意味する。
【背景技術】
【０００３】
配電線や通信用架空ケーブル等の架空線に対し、樹木等の接触による損傷を防止する防護管や鳥類の停留営巣及び糞害を防止する鳥害対策品が使用されており、樹木等の接触による架空線の損傷や鳥害に対しては一定の効果を奏している。
【０００４】
ところで、配電線や通信用架空ケーブル等の架空線は、果樹園や畑の上空にも架設されている。図６に示すように、収穫前の果実を狙う害獣の侵入を防止するために果樹園の周囲には通常、防護柵１００等が設置されているが、害獣、特に猿１０１が電柱１０２を登って架空線１０３、メッセンジャーワイヤー１０４、スパイラルハンガー１０５等を伝って移動し上空から果樹園内に侵入し収穫前の果実が食い荒らされる被害が発生している。
【０００５】
架空線上を移動する猿等の害獣に対し、鳥害対策品として広く用いられている有刺剣山を有するもの（例えば、特許文献１参照）、特にポリエチレン等の軟質樹脂製のものを用いた場合、猿等の害獣は比較的簡単にその上を移動することができるので効果が薄い。また蛇が電柱等を登ることを防止する登はん防止装置が提案されているが（特許文献２参照）、猿の跳躍力、握力を考慮すると猿に対する効果はあまり期待できない。
【０００６】
さらに害獣の架空線上の移動を防止する技術として、架空線の長軸周りに回転自在に架空線に装着可能な長尺回転スリーブからなる獣害防止装置が提案されている（特許文献３参照）。
【先行技術文献】
【特許文献】
【０００７】
【特許文献１】特開２０１６−２５７２８号公報
【特許文献２】特開平８−３０８４６２号公報
【特許文献３】実開平３−４６９１６号公報
【発明の概要】
【発明が解決しようとする課題】
【０００８】
特許文献３に記載の獣害防止装置によれば、害獣が回転スリーブ上を移動するときに回転スリーブが回転することで害獣を架空線（回転スリーブ）から滑落させることが可能であり、架空線上を移動する害獣に対して一定の効果を奏する。
【０００９】
しかしながら特許文献３に記載の獣害防止装置では、害獣が特に回転スリーブの真上を移動することによって、回転スリーブと把持金具との摩擦で回転スリーブが回転しないように回転スリーブ上を移動する恐れがある。また特許文献３に記載の獣害防止装置は、構造上、スパイラルハンガー等の架空線支持手段を使用して架設された架空線への装着が難しい。
【００１０】
本発明の目的は、架空線及び／又は架空線支持手段から害獣を確実に滑落させることが可能な害獣滑落具を提供することである。
【課題を解決するための手段】
【００１１】
本発明は、架空線から害獣を滑落させる害獣滑落具であって、架空線及び／又は架空線支持手段を囲むように架空線及び／又は架空線支持手段に装着可能な構造体からなり、前記構造体は、前記構造体の装着時に架空線及び／又は架空線支持手段を囲むように周設された複数の回転体を備え、害獣の接触によって前記回転体が回転することで害獣を滑落させるように構成されていることを特徴とする害獣滑落具である。
【００１２】
また本発明の害獣滑落具において、前記構造体は、さらに内筒と前記回転体を介して前記内筒に対して回転可能に取付けられた外筒とを備え、前記回転体は、前記内筒と前記外筒との間に周設されたボール又はローラーであることを特徴とする。
【００１３】
また本発明の害獣滑落具において、前記構造体は、さらに筒体を備え、前記筒体は、前記回転体を回転自在に埋設可能に外周面に一定間隔で周設された凹部を備え、前記回転体は、ローラーであり、前記凹部に回転自在に埋設されていることを特徴とする。
【００１４】
また本発明の害獣滑落具において、前記構造体は、さらに複数のリングを備え、前記リングは、自身の中心軸線方向に整列し、前記回転体は、ローラーであり、前記リングを互いに連結するように前記リングの間に前記リングの中心軸線周りに周設されていることを特徴とする。
【００１５】
また本発明の害獣滑落具において、前記構造体は、架空線支持手段の１つであるスパイラルハンガーに装着可能に、最小内径が前記スパイラルハンガーの螺旋の外径以上の大きさであることを特徴とする。
【発明の効果】
【００１６】
本発明の害獣滑落具によれば、複数の回転体を備えているので、回転体が回転しないように害獣が本害獣滑落具上を移動することは難しく、これにより確実に害獣を滑落させることができる。また本発明の害獣滑落具は、架空線のみならず、メッセンジャーワイヤー、スパイラルハンガー等の架空線を支持する支持線、つり線、支線等の架空線支持手段にも装着可能なので、適用範囲が広い。さらに本発明の害獣滑落具は、簡素に構成可能であり、比較的軽量に構成可能である。
【図面の簡単な説明】
【００１７】
【図１】本発明の第１実施形態の害獣滑落具１をスパイラルハンガー１０５に装着した状態を示す模式図である。
【図２】本発明の第１実施形態の害獣滑落具１の径方向断面図である。
【図３】図２の害獣滑落具１の別の構成例を示す径方向断面図である。
【図４】本発明の第２実施形態の害獣滑落具２の斜視図である。
【図５】本発明の第３実施形態の害獣滑落具３の斜視図である。
【図６】猿１０１が架空線１０３、メッセンジャーワイヤー１０４、スパイラルハンガー１０５を伝って果樹園に侵入する様子を示す模式図である。
【発明を実施するための形態】
【００１８】
図１は、本発明の第１実施形態の害獣滑落具１をスパイラルハンガー１０５に装着した状態を示す模式図である。図２は、本発明の第１実施形態の害獣滑落具１の径方向断面図である。図３は、図２の害獣滑落具１の別の構成例を示す径方向断面図である。なお図１では、剣山２０を省略している。
【００１９】
第１実施形態の害獣滑落具１は、内筒１０、外筒１１、及び内筒１０と外筒１１との間に配された回転体である複数のボール１２を備え、ボールベアリング様に構成された構造体からなり、架空線１０３とメッセンジャーワイヤー１０４とを束ねるスパイラルハンガー１０５に装着され、架空線１０３、メッセンジャーワイヤー１０４、スパイラルハンガー１０５を伝って移動しようとする猿１０１等の害獣を滑落させる。
【００２０】
内筒１０は、スパイラルハンガー１０５を囲むようにスパイラルハンガー１０５に装着可能に、内径がスパイラルハンガー１０５の螺旋の外径以上の大きさになるように形成された円筒体である。内筒１０の材質は、適当な耐候性及び強度を有し設置時の感電等を防止すべく絶縁性及び難燃性を有する任意の材質とすればよい。
【００２１】
内筒１０の長さは、特定の長さに限定されるものではないが、スパイラルハンガー１０５に効率的に装着可能に長過ぎない方が好ましい。また複数の害獣滑落具１を連結可能に内筒１０及び／又は外筒１１に互いに連結可能な連結具（図示省略）を有していてもよい。
【００２２】
外筒１１は、内径が内筒１０の外径よりも大きくなるように形成された円筒体であり、内筒１０と同じ長さである。外筒１１は、ボール１２を介して内筒１０に対して長軸周りに回転自在に内筒１０を囲むように配されている。外筒１１の材質は、内筒１０と同様、適当な耐候性及び強度を有し絶縁性及び難燃性を有する任意の材質とすればよい。
【００２３】
また外筒１１は、外周面から放射状に突出した硬質の剣山２０を有している。剣山２０は、外筒１１の円筒部と一体的に形成されていてもよく、外筒１１の円筒部とは別に形成された後に外周面から放射状に突出するように取付けられていてもよい。剣山２０は、適当な耐候性及び強度を有し絶縁性及び難燃性を有するとともに、効果的に害獣の移動を阻止すべく、害獣が触れたときに変形しない程度の硬度を有する材質、例えば、ポリカーボネート等で形成されていることが好ましい。
【００２４】
また剣山２０の数、形状は、特定のものに限定されるものではないが、猿１０１等の害獣が剣山２０を回避し外筒１１を伝って害獣滑落具１を通過することができないように決められていることが好ましい。
【００２５】
ボール１２は、図示しないリテーナーによって回転自在に保持され、内筒１０及び外筒１１の長手方向に亘って数か所、内筒１０と外筒１１との間に周設され、内筒１０に対する外筒１１の回転を円滑化する。ボール１２の材質は、内筒１０及び外筒１１と同様、適当な耐候性及び強度を有し絶縁性及び難燃性を有する任意の材質とすればよい。ボール１２の数は、特定の数に限定されるものではない。
【００２６】
次に本実施形態の害獣滑落具１の作用について説明する。図１、図２に示すように、果樹園の防護柵１００の外側において、害獣滑落具１をスパイラルハンガー１０５に装着する。このとき害獣滑落具１のスパイラルハンガー１０５への装着を容易化すべく、例えば、図３に示すように内筒１０、外筒１１、及びボール１２のリテーナーを２分割してヒンジ２２で回動自在に連結し周方向に開閉可能に構成されていると、より好ましい。このときヒンジ２２の反対側には、磁石や係止具等の留め具２４を設ける。
【００２７】
さらに害獣滑落具１の装着後に害獣滑落具１（内筒１０）がスパイラルハンガー１０５に対して中心軸線方向にずれないように、内筒１０を架空線１０３、メッセンジャーワイヤー１０４及び／又はスパイラルハンガー１０５に固定可能な紐やクリップ、円筒状のストッパー等の固定具（図示省略）が害獣滑落具１に付加されていると、より好ましい。
【００２８】
また害獣滑落具１の装着位置は、害獣、特に猿１０１が電柱１０２から跳躍することで害獣滑落具１が回避されないように、猿１０１の跳躍力を考慮して電柱１０２から５ｍ程度離れた位置であることが好ましい。
【００２９】
害獣滑落具１の装着後、害獣が電柱１０２を登り架空線１０３、メッセンジャーワイヤー１０４、スパイラルハンガー１０５を伝って移動し、害獣滑落具１の外筒１１に足をかけると、害獣の体重によって害獣滑落具１の外筒１１及びボール１２が回転する。足場となる外筒１１が回転することで害獣が害獣滑落具１から滑落する。これによって害獣が果樹園の防護柵１００内の上空に到達することができず、果樹園内への害獣の侵入が防止される。
【００３０】
本実施形態の害獣滑落具１によれば、複数のボール１２が回転することで外筒１１の回転が円滑化されるとともに、外筒１１の外周面に剣山２０を有しているので、外筒１１が回転しないように害獣滑落具１の上を害獣が移動することは非常に困難である。このため本実施形態の害獣滑落具１によれば、確実に害獣を滑落させる、又は害獣の通過を阻止することができる。また本実施形態の害獣滑落具１は、簡素に構成可能であり、比較的軽量に構成可能である。
【００３１】
なお通常、果樹園の管理者（例えば、農家）と架空線１０３の管理者（例えば、電気事業者や通信事業者）とは異なっており、果樹園の管理者は、架空線１０３の管理者の顧客であることが多い。このため架空線１０３の管理者は、本実施形態の害獣滑落具１を架空線１０３及び／又は架空線支持手段に装着させることで顧客満足度の向上を図ることができる。特に、果樹園上空に架空線１０３が既に架設されており、該架空線１０３の架設経路を変更することができない場合、本実施形態の害獣滑落具１は非常に有用である。
【００３２】
図４は、本発明の第２実施形態の害獣滑落具２の斜視図である。第２実施形態の害獣滑落具２は、スパイラルハンガー１０５を囲むようにスパイラルハンガー１０５に装着可能な筒体３０と、筒体３０の外周面に回転自在に周設された回転体である複数のローラー３１とを備え、害獣の接触によりローラー３１が回転することで害獣を滑落させる。
【００３３】
筒体３０は、スパイラルハンガー１０５を囲むようにスパイラルハンガー１０５に装着可能に、内径がスパイラルハンガー１０５の螺旋の外径以上の大きさになるように形成された円筒体である。また筒体３０の外周面には、ローラー３１を回転自在に埋設する凹部３３が中心軸線周りに一定間隔で周設されている。
【００３４】
ローラー３１は、円柱状であり、自身の中心軸線周りに回転可能に筒体３０の外周面の凹部３３に埋設される。ローラー３１は、例えば、図示しないベアリング等を介して筒体３０に回転自在に取付けられていてもよく、シャフト及びシャフトに対して回転自在なローラーベアリング（図示省略）で構成されていてもよい。
【００３５】
ローラー３１の径及び数は、特定のものに限定されるものではないが、害獣がローラー３１を回避して害獣滑落具２上を移動しないように、ローラー３１同士の間隔が大きくなり過ぎないように決められていることが好ましい。
【００３６】
筒体３０及びローラー３１の材質は、適当な耐候性及び強度を有し絶縁性及び難燃性を有する任意の材質とすればよい。
【００３７】
本実施形態の害獣滑落具２は、害獣がローラー３１に足をかけたときにローラー３１が回転することで害獣を滑落させる。本実施形態の害獣滑落具２によれば、複数のローラー３１が回転しないように害獣が害獣滑落具２の上を移動することが困難であることに加え、複数のローラー３１が、それぞれ独立して回転可能なので害獣が本害獣滑落具２（筒体３０）を掴むことも困難となり、害獣をより確実に滑落させることができる。また本実施形態の害獣滑落具２も、第１実施形態の害獣滑落具１と同様、簡素に構成可能であり、比較的軽量に構成可能である。
【００３８】
図５は、本発明の第３実施形態の害獣滑落具３の斜視図である。図４に示す第２実施形態の害獣滑落具２と同一の構成には同一の符号を付して説明を省略する。第３実施形態の害獣滑落具３は、第２実施形態の害獣滑落具２と基本的構成は同じであるが、筒体３０に代えて、回転体である複数のローラー３１の両端を支持する２つのリング４０を備え、複数のローラー３１が２つのリング４０を連結するようにリング４０の中心軸線周りに一定間隔で周設されている。
【００３９】
リング４０は、スパイラルハンガー１０５を囲むようにスパイラルハンガー１０５に装着可能に、内径がスパイラルハンガー１０５の螺旋の外径以上の大きさになるように形成されている。リング４０の材質は、適当な耐候性及び強度を有し絶縁性及び難燃性を有する任意の材質とすればよい。
【００４０】
また本実施形態の害獣滑落具３において、ローラー３１の径及び数は、特定のものに限定されるものではないが、ローラー３１同士の間隔が隙間から害獣の指等が入らない間隔となるように決められていることが好ましい。
【００４１】
本実施形態の害獣滑落具３によれば、第２実施形態の害獣滑落具２と同様の効果を奏しつつ、さらなる軽量化が可能である。
【００４２】
以上、第１から第３実施形態の害獣滑落具１、２、３を用いて、本発明の害獣滑落具を説明したが、本発明の害獣滑落具は、上記実施形態に限定されるものではなく要旨を変更しない範囲で変形することができる。例えば、第１から第３実施形態の害獣滑落具１、２、３に互いに直列に連結するための連結手段を付加するなど、複数の害獣滑落具１、２、３を組合せて用いることも当然可能である。なお連結手段は、ワンタッチで着脱可能であることが好ましい。
【００４３】
また外筒１１、筒体３０、リング４０は、断面視における外周が円形であるものに限定されるものではなく、例えば、断面視における外周が星形等の多角形であってもよい。
【００４４】
また第２、第３実施形態の害獣滑落具２、３において、第１実施形態の害獣滑落具１と同様、架空線１０３や架空線支持手段への装着を容易化すべく、筒体３０、リング４０を２分割してヒンジ２２で回動自在に連結し周方向に開閉可能に構成してもよい。
【００４５】
さらに第２、第３実施形態の害獣滑落具２、３において、第１実施形態の害獣滑落具１と同様、装着後に害獣滑落具２、３（筒体３０、リング４０）が架空線１０３又は架空線支持手段に対して中心軸線方向にずれないように、筒体３０、リング４０を架空線１０３又は架空線支持手段に固定可能な紐やクリップ、円筒状のストッパー等の固定具（図示省略）が付加されていてもよい。また第２、第３実施形態の害獣滑落具２、３において、ローラー３１の回転を妨げない範囲において筒体３０、リング４０に剣山２０を設けてもよい。
【００４６】
なお本発明において、害獣は、猿１０１に限定されるものではなく、例えば、ハクビシン等の電柱を登ることができる獣類全般を含み得る。
【００４７】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００４８】
１、２、３  害獣滑落具
１０  内筒
１１  外筒
１２  ボール
３０  筒体
３１  ローラー
３３  凹部
４０  リング
１０１  猿
１０３  架空線
１０４  メッセンジャーワイヤー
１０５  スパイラルハンガー
【図１】
2018126022.tif 000003
【図２】
2018126022.tif 000004
【図３】
2018126022.tif 000005
【図４】
2018126022.tif 000006
【図５】
2018126022.tif 000007
【図６】
2018126022.tif 000008